(57)【要約】【課題】カメラの固定装置として使用するときのみ、カメラを固定可能にフォーミングできるストラップを提供する。【解決手段】筒状駒１０は、一端側に凸の球面１２を他端側に凹の球面１３を有するとともに前記二つの球面の中心を貫通する貫通孔１１を有する。隣合う筒状駒１０の凸の球面１２と凹の球面１３が接触するように複数の筒状駒１０を、連結紐１５によって鎖状連結する。連結紐は、可撓性と弾性を有し、貫通孔１１に挿通される。固定部材２２は、鎖状連結された筒状駒１０の両端に位置する凸の球面１２と凹の球面１３が固定される固定部２６を備える。凸の球面１２と凹の球面１３が固定される位置の中央には開口１７が設けられ、連結紐１５が取付けられる。固定部材にはカメラ用ストラップ２０をカメラに取付ける取付紐２５が取付けられている。【選択図】図６
2009053394.tif 000002
【特許請求の範囲】
【請求項１】
一端側に凸の曲面を他端側に凹の曲面を有するとともに、前記二つの球面の中心を貫通する貫通孔を有する複数の筒状駒と、
可撓性と弾性を有し、前記貫通孔に挿通され、隣合う筒状駒の凸の曲面と凹の曲面が接触可能に前記複数の筒状駒を鎖状連結する連結紐と、
前記連結紐が取付けられ、鎖状連結された筒状駒の両端部が固定される固定部を有する固定部材と、
前記固定部材に取付けられた取付紐と、
を備えたことを特徴とするカメラ用ストラップ。
【請求項２】
一端側に凸の曲面を他端側に凹の曲面を有するとともに、前記二つの曲面の中心を貫通する貫通孔を有する複数の筒状駒と、
可撓性と弾性を有し、前記貫通孔に挿通され、隣合う筒状駒の凸の曲面と前記凹の曲面が接触可能に前記複数の筒状駒を鎖状連結する連結紐と、
を備え、
前記連結紐が取付けられ、鎖状連結された筒状駒の両端部が固定される固定部を備えたカメラに取付けられたことを特徴とするカメラ用ストラップ。
【請求項３】
前記固定部は、前記カメラのシャッタボタンの近傍に設けられたことを特徴とする請求項２記載のカメラ用ストラップ。
【請求項４】
前記連結紐の一部が挿通され、該挿通された部分の長さを調節することで、前記複数の筒状駒が鎖状連結された部分の連結紐の張力を調節可能とした調節装置を備えたことを特徴とする請求項１から３のいずれかに記載のカメラ用ストラップ。
【請求項５】
カメラの三脚取付ネジ穴と螺合可能な三脚ネジと、
前記連結紐が取付けられ、該連結紐の張力によって前記鎖状連結した筒状駒が固定される固定部が形成されたカメラ取付板と、
からなるカメラ取付装置を備えたことを特徴とする請求項１から４のいずれかに記載のカメラ用ストラップ。
【請求項６】
前記連結紐が取付けられ、前記連結紐の張力によって前記鎖状連結した筒状駒が固定される固定部を有するアクセサリシュー取付部材を備えたことを特徴とする請求項１から４のいずれかに記載のカメラ用ストラップ。
【請求項７】
前記鎖状連結された複数の筒状駒の数箇所に、Ｌ字形状をした筒状のＬ字駒を配置したことを特徴とする請求項１から６のいずれかに記載のカメラ用ストラップ。
【請求項８】
前記Ｌ字駒は、
一端側に凸の曲面を、他端側に斜面を備えた凸状駒と、
一端側に斜面を、他端側に凹の曲面を備えた凹状駒と、
によって構成されたことを特徴とする請求項７記載のカメラ用ストラップ。
【請求項９】
前記鎖状連結された各筒状駒の間に、弾力性を有する材質で形成されたワッシャを配置したことを特徴とする請求項１から８のいずれかに記載のカメラ用ストラップ。
【請求項１０】
前記鎖状連結された筒状駒は、可撓性を有する柔らかい材質で形成されたチューブ状部材の中に収められたことを特徴とする請求項１から９のいずれかに記載のカメラ用ストラップ。
【発明の詳細な説明】
【技術分野】
【０００１】
本発明は、カメラに取付けて用いるストラップに関し、詳しくは、カメラによって被写体像を撮影する際にカメラの姿勢を固定することができるカメラ保持機能を備えたストラップに関するものである。
【背景技術】
【０００２】
従来、カメラを固定するには三脚が用いられている。カメラ本体の底面には三脚に取付けるためのネジ穴（以下、三脚取付ネジ穴という）が設けられており、三脚の頭部にはカメラを乗せるための台（以下、雲台という）が設けられ、これに前記三脚取付ネジ穴に螺合するネジ（以下、三脚ネジという）が取付けられており、カメラは前記雲台に三脚ネジによって固定される。
【０００３】
カメラを三脚に固定して撮影するのは、写真のプロや写真画質に特に拘りを持っているアマチュアカメラマンであって、一般の人は写真撮影の際に三脚を用いることは少なく、手に持ったままで撮影を行うことが多い。このような手持ち撮影の場合は、撮影時の手振れによって撮影した画像がブレ画像となってしまうことが良くある。画質の良い写真を撮影する為には三脚の使用は必須である。また、一人で自分自身を撮影する場合や、集合写真などで撮影者自身も写りたいときには、三脚を使用してセルフタイマによる撮影を行うことになる。
【０００４】
しかしながら、三脚は大きくてかさばり、その上かなり重いので、一般の人には殆ど使われることがない。下記特許文献１には、携行性に優れて調節操作が簡単な、三脚機能を有するカメラ収納ケースが記載されている。
【特許文献１】登録実用新案第３０３６７８７号公報
【発明の開示】
【発明が解決しようとする課題】
【０００５】
前述の特許文献１に記載された三脚機能を有するカメラ収納ケースは、三脚として使える強度を持たせるために、当然にハードケースであるから、三脚ほどではないが重く、表面も柔らかくはないので、持ち運びに良いという訳にはいかない。最近のカメラユーザはカメラケースを用いることが殆どないといっていい程である。
【０００６】
本発明は、通常はカメラを携帯する時にカメラに取付けて用いるストラップを、三脚として使用したいときのみ、カメラ姿勢を固定できるように変化させることができるストラップを提供することを目的とする。
【課題を解決するための手段】
【０００７】
本発明によるカメラ用ストラップは、一端側に凸の球面を他端側に凹の球面を有するとともに前記二つの球面の中心を貫通する貫通孔を有する複数の筒状駒と、可撓性と弾性を有し前記貫通孔に挿通され隣合う筒状駒の凸の曲面と凹の曲面が接触可能に前記複数の筒状駒を鎖状連結する連結紐と、前記連結紐が取付けられ鎖状連結された筒状駒の両端部が固定される固定部を有する固定部材と、前記固定部材に取付けられた取付紐と、から構成される。
【０００８】
前記連結紐が挿通された調節装置を備え、調節装置に挿通される部分の長さを調節することで、前記複数の筒状駒を鎖状連結した部分の連結紐の張力を調節可能として、前記筒状駒の連結された形状をフォーミングするのに適度な圧力を前記筒状駒の間に加えることが可能になっている。
【０００９】
前記筒状駒が固定される固定部が設けられたカメラ取付板に前記連結紐を取付け、連結紐の張力によって前記筒状駒をカメラ取付板に固定する。該カメラ取付板には、カメラの三脚取付ネジ穴と螺合可能な三脚ネジが取付けられ、カメラ取付装置を構成する。また、前記カメラ取付装置の代わりにアクセサリシュー取付部材を設けても良い。アクセサリシュー取付部材には、前記固定部が形成される。
【００１０】
前記鎖状連結された複数の筒状駒の数箇所に、Ｌ字形状をした筒状のＬ字駒を配置する。これによってカメラを固定する形状にフォーミングし易くなる。更に、前記Ｌ字駒を２ピースで構成する。２ピースで構成されるＬ字駒は、一端側が凸の球面で他端側が斜面になった凸状駒と、一端側が斜面で他端側が凹の球面になった凹状駒とによって構成し、本発明によるストラップをカメラ固定装置として用いる場合はＬ字形に組み合わせ、ストラップとして用いる時は、他の筒状駒と同じような直線形状にして用いる。
【００１１】
前記鎖状連結された各筒状駒の間に、弾力性を有する材質で形成されたワッシャを配置すると良い。また、前記鎖状連結した筒状駒の全てを、可撓性を有する柔らかい材質で形成されたチューブ状部材の中に収めると良い。
【００１２】
前記カメラ用ストラップをカメラに直接固定する方法を用いても良い。カメラのシャッタをレリーズするシャッタボタンの近傍に筒状駒を固定する固定部を設ける。該固定部は、凸の球面と凹の球面を有し、中心には前記連結紐が取付けられる穴が設けられている。ここに、前記複数の筒状駒を鎖状に連結した連結紐を取付ける。
【発明の効果】
【００１３】
本発明によれば、通常はカメラを携帯する時にカメラに取付けて用いるストラップを、三脚として使用したいときのみ、カメラ姿勢を固定できるように変化させることができるようにしたので、高画質撮影やセルフ撮影を行うのに三脚を持つ必要がない。
【発明を実施するための最良の形態】
【００１４】
以下、本発明の実施形態について説明する。図１および図２に示すように、本発明のカメラ用ストラップに用いる筒状駒１０は、中心を貫通する貫通穴１１を備え、一端側に凸の曲面Ｒ（以下、凸の球面という）１２を、他端側に凹の曲面Ｒ（以下、凹の球面という）１３を有する。
【００１５】
図３および図４に示すように、複数の前記筒状駒１０は、前記貫通穴１１に連結紐１５が挿通され、隣合う筒状駒１０の凸の球面１２と凹の球面１３とが対向して接触するように、向きを揃えて連結される。前記連結紐１５は、可撓性と弾性を有し、自然状態より長くなる方向に引っ張られて固定された場合は、張力を発生する。
【００１６】
図５および図６に示すように、本発明のカメラ用ストラップ２０は、鎖状連結された複数の前記筒状駒１０と、筒状駒１０の中心を貫通する連結紐１５と、連結紐１５が取付けられた固定部材２２から構成され、固定部材２２には、カメラ用ストラップ２０を後述するカメラ２３のストラップ取付部２４に取付けるための取付紐２５が取付けられている。固定部材２２には、前記筒状駒１０の凸の球面１２を固定する凹面と、凹の球面１３を固定する凸面からなる固定部２６が設けられ、前記凹面と凸面のそれぞれの中心には開口１７が設けられている。連結紐１５は、２つの開口１７の片側で繋がっている。
【００１７】
図７に示すように、前記筒状駒１０は、連結紐１５に張力が発生するように前記固定部材２２に固定されたとき、隣り合って接触する凸の球面と凹の球面は密着して、直線上に並ぶ。この状態から、隣合う筒状駒１０を直角に配置すると、図８示すように、連結紐１５が伸びて張力が増すとともに、隣合う筒状駒１０は直角になった位置関係を保持する。あるいは、隣合う筒状駒１０を４５°の角度に固定することも出来る。図９に示すように、隣合う筒状駒１０を４５°に固定した箇所を連続して２ヶ所配置すると、９０°に曲げることができる。
【００１８】
次に、上記構成のカメラ用ストラップ２０の作用について説明する。図１０に示すように、鎖状連結された筒状駒１０の数ヶ所について、隣合う筒状駒１０を直角に配置し、カメラ２３が載せられるような形状にフォーミングする。隣合う筒状駒１０は適度な張力によってフォーミングされているので、カメラ２３を載せても、その形状が維持される。
【００１９】
また、図中Ａで示す角度やＢで示す角度を変えることによって、カメラ２３を載せる場所であるＣで示す位置の筒状駒１０を、水平位置に対して所定の角度を持たせることができる。これによって、カメラ２３によるチルト撮影を行うことが可能である。カメラ２３の底部には三脚取付ネジ穴７３が設けられているが、この場合は使用しない。
【００２０】
次に、本発明による別の実施形態について説明する。図１１に示すように、カメラ用ストラップ３０は、鎖状連結された筒状駒１０が、固定部材２２ではなく、カメラ２３のシャッタボタン３２の近傍に直接取付けられている点が、前記カメラ用ストラップ２０と異なる。図１２に示すように、カメラ２３の本体ケース３３には、筒状駒１０の凸の球面１２と凹の球面１３が圧接可能な凸の球面と凹の球面からなる取付面３４が設けられ、取付面３４の２つの球面の中心にはそれぞれ開口３５が設けられている。連結紐１５は開口３５を貫通し、本体ケース３３の内部で繋がっており、所定の張力を保っている。図１３に示すように、この鎖状連結された筒状駒１０を適度に変形させてフォーミングし、カメラ２３の姿勢を固定するカメラ保持装置として用いることが出来る。
【００２１】
次に、本発明による別の実施形態について説明する。図１４に示すように、カメラ用ストラップ４０は、前記カメラ用ストラップ２０に前記連結紐１５の張力を調節するための調節装置４１を設けたものである。
【００２２】
図１５に示すように、前記調節装置４１は、底のある円筒形のケース４２の中にロックボタン４３と圧縮バネ４４が挿入され、ロックボタン４３の底面４３ａは圧縮バネ４４によって常に押圧力を受けている。ロックボタン４３は底面４３ａ近傍にロック用孔４５が設けられ、ケース４２の摺壁には開口４６、４７が向かい合って設けられている。圧縮バネ４４によってロックボタン４３が押された状態では、前記開口４６、４７はロックボタン４３によって塞がっている。ロックボタン４３が圧縮バネ４４のバネ力に抗して押されたとき、ロック用孔４５が移動して、２つの開口４６、４７を連通させる。ここで、前記連結紐１５の途中の一ヶ所を、連通した前記開口４６、４７およびロック用孔４５に挿通させ、挿通させた連結紐１５の端には抜け止め用の玉４８が取付けられている。
【００２３】
このカメラ用ストラップ４０を、ストラップとして用いるときには、ロックボタン４３を押圧してロック用孔４５および２つの開口４６、４７を連通させ、玉４８が前記開口４７の近くになる位置でロックボタン４３の押圧を解除する。ロックボタン４３は、前記圧縮バネ４４の付勢力によって、前記ロック用孔４５の内壁と前記開口４６および４７との間に連結紐１５を挟み固定する。連結紐１５は、筒状駒１０の鎖状連結された全長よりやや長くなり、隣合う筒状駒１０の凸の球面１２と凹の球面１３は圧接しないので、鎖状連結された筒状駒１０は柔軟性を保ち、カメラ２３の持ち運びに違和感が生じない。
【００２４】
ここでカメラ２３の固定装置として用いるときは、玉４８を前記開口４７から遠くに引っ張った位置でロックボタン４３の押圧を解除する。ロックボタン４３は、連結紐１５が張力を保った状態で挟み固定する。連結紐１５は、張力によって隣合う筒状駒１０の凸の球面１２と凹の球面１３を圧接させ、適度な摩擦を発生させるので、鎖状連結された筒状駒１０は所定の形状にフォーミングされたときに、その形状を維持することができる。
【００２５】
図１６に示すように、カメラ用ストラップ５０は、前記調節装置４１に替えて調節装置５１を設けたものである。
【００２６】
図１７に示すように、前記調節装置５１は、鎖状連結された筒状駒１０を、底部に設けたものである。底のある円筒形のケース５２の中にロックボタン５３と圧縮バネ４４が挿入され、ロックボタン５３の底面５３ａは圧縮バネ４４によって常に押圧力を受けている。ケース５２の底面５２ａには、筒状駒１０の凸の球面１２と凹の球面１３が圧接可能に凸の球面と凹の球面からなる取付面５２ｂが設けられ、取付面５２ｂの２つの球面の中心にはそれぞれ開口５４が設けられている。連結紐１５は開口５４を貫通し、ロックボタン５３の底面５３ａに設けられた取付部５３ｂに固定される。
【００２７】
取付部５３ｂに固定された連結紐１５は、圧縮バネ４４によって常に所定の張力を保っている。これによって鎖状連結した筒状駒１０がカメラ固定装置としてフォーミングされたときに、その形状を保つための摩擦力を発生させている。そのため、フォーミングする形状によっては整形し難いこともある。そこで、前記ロックボタン５３を前記圧縮バネ４４の付勢力に抗して押圧する。筒状駒１０を引っ張っていた連結紐１５は緩み、隣合う筒状駒１０の凸の球面１２と凹の球面１３の圧接力が弱くなり、前記整形がし易くなる。希望の形状にフォーミングすることができたら、ロックボタン５３の押圧を解除する。ロックボタン５３は、連結紐１５を引っ張り、連結紐１５に張力を発生させる。これによって隣合う筒状駒１０の凸の球面１２と凹の球面１３が再び圧接し、適度な摩擦を発生させるので、フォーミングされた形状を維持することができる。また、このように調節装置５１を備えた場合は、連結紐１５の弾性は比較的少ない方が良く、全くなくても良い。
【００２８】
次に、前記筒状駒の変形例について説明する。図１８に示すように、Ｌ字形をした筒状のＬ字駒６０を、鎖状連結された前記筒状駒１０の間に配置する。例えば、前述のカメラ用ストラップ４０に用い、調整装置４１を調整して連結紐１５が張力を持っているときは、Ｌ字形状を保持するので、Ｌ字のフォーミングをするのに都合が良い。調整装置４１によって連結紐１５の張力が緩められたときは、図１９に示すように、筒状駒１０とＬ字駒６０が直線的に並ぶことが可能となるので、ストラップとして用いたときの違和感が少ない。
【００２９】
次に、前記Ｌ字駒の変形例について説明する。図２０に示すように、一端側に凸の球面１２を備え他端側に例えば４５°の斜面６１を備えた凸状駒６２と、一端側に同じ角度の斜面６３を備え他端側に凹の球面１３を備えた凹状駒６４とによって分割形Ｌ字駒６５を構成する。凸状駒６２の斜面６１の中央には溝６６と６７が設けられ、凹状駒６４の斜面６３の中央にはリブ６８と６９が設けられている。
【００３０】
図２１に示すように、溝６６とリブ６８が、溝６７とリブ６９が嵌合するように斜面６１と斜面６３とを合わせると、Ｌ字駒６５はＬ字形を形成し、図２２に示すように、溝６６とリブ６９が、溝６７とリブ６８が嵌合するように斜面６１と斜面６３とを合わせると、Ｌ字駒６５はＬ字形ではなく直線形となる。これによって、ストラップとして使用するときの違和感は全くない。
【００３１】
次に、本発明による別の実施形態について説明する。図２３に示すように、カメラ用ストラップ７０は、鎖状連結された筒状駒１０に、カメラ２３を取付可能としたカメラ取付装置７１が取付けられている。カメラ取付装置７１は、コの字状のカメラ取付板７４と、カメラ２３の底部に設けられた三脚取付ネジ穴７３と螺合可能な三脚ネジ７２とからなる。
【００３２】
図２４に示すように、カメラ取付板７４は、筒状駒１０の凸の球面１２と凹の球面１３が圧接可能な凸の球面と凹の球面からなる取付面７５が設けられ、取付面７５の２つの球面の中心にはそれぞれ開口７６が設けられている。連結紐１５は開口７６を貫通し、貫通した先で繋がっており、所定の張力を保っている。張力を保つことによって図２３に示すような、三脚形状にフォーミングすることができ、カメラ２３の姿勢を固定するカメラ保持装置として用いることが出来る。なお、ここでは筒状駒１０の間に、前記凸状駒６２および凹状駒６４を用いている。
【００３３】
図２５に示すように、カメラ用ストラップ７０は、前記カメラ取付装置７１に替えてアクセサリシュー取付部材８１を設けたものである。アクセサリシュー取付部材８１は、鎖状連結した筒状駒１０が接続された基部８２と、カメラ２３に設けられたアクセサリシュー８３と係合可能とした差込部８４とからなる。
【００３４】
図２６に示すように、基部８２は、筒状駒１０の凸の球面１２と凹の球面１３が圧接可能な凸の球面と凹の球面からなる取付面８５が設けられている。該取付面８５に設けられた２つの球面の中心にはそれぞれ開口８７が設けられ、連結紐１５は該開口８７を通り、基部８２の内部で繋がって、所定の張力を保っている。張力を保つことによって図２５に示すような、カメラ保持形状にフォーミングすることができ、カメラ２３の姿勢を固定するカメラ保持装置として用いることが出来る。なお、ここでは筒状駒１０の間に、前記Ｌ字駒６０を用いている。
【００３５】
次に、本発明による別の実施形態について説明する。図２７に示すように、カメラ用ストラップ９０は、複数の筒状駒１０の間に、布あるいはゴムなど弾力性のある材質を用いたワッシャ９１を交互に挟んで鎖状連結する。布あるいはゴムなど弾力性のあるものは表面の摩擦抵抗が大きく、前記連結紐１５の張力が比較的弱い場合であっても、カメラ保持形状にフォーミングすることができる。
【００３６】
また、図２８に示すように、カメラ用ストラップ９５は、前記カメラ用ストラップ２０の筒状駒１０を、たとえば布など可撓性を有する柔らかい材質で形成されたチューブ状部材９６の中に収められている。これによって、ストラップとして使用するときの手触りが良くなり、使用感が向上する。また、筒状駒１０の間の隙間が外観に出ることが防止でき、高級感が出る。
【図面の簡単な説明】
【００３７】
【図１】本発明によるカメラ用ストラップに用いる筒状駒を凸の球面側から見た斜視図である。
【図２】本発明によるカメラ用ストラップに用いる筒状駒を凹の球面側から見た斜視図である。
【図３】筒状駒が鎖状連結された状態を示す斜視図である。
【図４】筒状駒が鎖状連結された状態を示す断面図である。
【図５】本発明によるカメラ用ストラップの外観を示す斜視図である。
【図６】固定部材周辺部分の断面図である。
【図７】直線的にフォーミングされた筒状駒の状態を示す断面図である。
【図８】直角にフォーミングされた筒状駒の状態を示す断面図である。
【図９】直角にフォーミングされた筒状駒の別の状態を示す断面図である。
【図１０】カメラが載せられるようにフォーミングされたカメラ用ストラップの外観を示す斜視図である。
【図１１】本発明による別の実施形態のカメラ用ストラップの外観を示す斜視図である。
【図１２】別の実施形態のカメラ用ストラップがカメラの固定部に固定された状態を示す部分拡大図である。
【図１３】別の実施形態のカメラ用ストラップをフォーミングしたときの外観を示す斜視図である。
【図１４】調節装置を備えたカメラ用ストラップの外観を示す斜視図である。
【図１５】調節装置の内部構造を示す断面図である。
【図１６】別の調節装置を備えたカメラ用ストラップの外観を示す斜視図である。
【図１７】別の調節装置の内部構造を示す断面図である。
【図１８】フォーミングされたＬ字駒を示す断面図である。
【図１９】連結紐の張力が緩められたときのＬ字駒の状態を示す断面図である。
【図２０】分割型Ｌ字駒の外観を示す斜視図である。
【図２１】分割型Ｌ字駒がＬ字にフォーミングされたときの断面図である。
【図２２】分割型Ｌ字駒が直線的にフォーミングされたときの断面図である。
【図２３】カメラ取付装置を備えたカメラ用ストラップをフォーミングしたときの外観を示す斜視図である。
【図２４】カメラ取付装置の内部構造を示す断面図である。
【図２５】アクセサリシュー取付部材を備えたカメラ用ストラップをフォーミングしたときの外観を示す斜視図である。
【図２６】筒状駒がアクセサリシュー取付部材の基部に取り付けられた状態を示す部分断面図である。
【図２７】ワッシャを挟んだ筒状駒の連結した状態を示す断面図である。
【図２８】鎖状連結した筒状駒をチューブ状部材に挿入したときの状態を示す断面図である。
【符号の説明】
【００３８】
１０  筒状駒
１１  貫通孔
１２  凸の球面
１３  凹の球面
１５  連結紐
２０，３０，４０，５０，７０，８０，９０，９６  カメラ用ストラップ
２２  固定部材
２３  カメラ
２５  取付紐
２６，３４，７５，８５  固定部
３２  シャッタボタン
４１，５１  調節装置
４２，５２  ケース
４３，５３  ロックボタン
４４  圧縮バネ
４５  ロック用孔
６０  Ｌ字駒
６１，６３  斜面
６２  凸状駒
６４  凹状駒
６５  分割型Ｌ字駒
６６，６７  溝
６８，６９  リブ
７１  カメラ取付装置
７２  三脚ネジ
７３  三脚取付ネジ穴
７４  カメラ取付板
８１  アクセサリシュー取付部材
８２  基部
８３  アクセサリシュー
８４  差込部
９１  ワッシャ
９６  チューブ状部材
【図１】
2009053394.tif 000003
【図２】
2009053394.tif 000004
【図３】
2009053394.tif 000005
【図４】
2009053394.tif 000006
【図５】
2009053394.tif 000007
【図６】
2009053394.tif 000008
【図７】
2009053394.tif 000009
【図８】
2009053394.tif 000010
【図９】
2009053394.tif 000011
【図１０】
2009053394.tif 000012
【図１１】
2009053394.tif 000013
【図１２】
2009053394.tif 000014
【図１３】
2009053394.tif 000015
【図１４】
2009053394.tif 000016
【図１５】
2009053394.tif 000017
【図１６】
2009053394.tif 000018
【図１７】
2009053394.tif 000019
【図１８】
2009053394.tif 000020
【図１９】
2009053394.tif 000021
【図２０】
2009053394.tif 000022
【図２１】
2009053394.tif 000023
【図２２】
2009053394.tif 000024
【図２３】
2009053394.tif 000025
【図２４】
2009053394.tif 000026
【図２５】
2009053394.tif 000027
【図２６】
2009053394.tif 000028
【図２７】
2009053394.tif 000029
【図２８】
2009053394.tif 000030